(57)【特許請求の範囲】
【請求項１】
直線状の展開梯子状態と、倒立Ｖ字状の脚立状態とに、切換自在に相互に枢着される、第１梯子半体（１）と第２梯子半体（２）とを有する天井作業用梯子において、
上記第１梯子半体（１）と第２梯子半体（２）とを２つ折り自在として枢着する連結枢着部（７）を長手方向中間位置に設け、
上記直線状の展開梯子状態となった第１梯子半体（１）と第２梯子半体（２）の一端部（８）に折り重なって収納可能として枢着されると共に水平展開状となって鉛直壁面（Ａ）に当接し上記展開梯子状態の第１梯子半体（１）と第２梯子半体（２）とを支持する壁面当接支持部材（３）を有し、
該壁面当接支持部材（３）は、一対の角パイプ状支持部材（31）（31）の間に複数の補強部材（30）を横架するハの字梯子形状に形成され、該ハの字の狭小部に配設される補強部材（30）である最端補強部材（30ａ）を、上記端部（８）の近傍に架設される踏桟（10）である最端踏桟（10ａ）に、蝶番型の枢着金具（50）を介して取着され、
上記壁面当接支持部材（３）は、折重なって収納された収納状態で、上記一対の角パイプ状支持部材（31）（31）を上記最端補強部材（30ａ）よりも上記端部（８）側に突出する当り部（31ａ）（31ａ）を備え、
上記壁面当接支持部材（３）が上記鉛直壁面（Ａ）に当接する水平展開状態で、上記当り部（31ａ）（31ａ）の下面が、上記最端踏桟（10ａ）の水平面状当り面（21）に当接して、上記壁面当接支持部材（３）が上記水平展開状態からさらに上方へ揺動するのを規制する揺動規制機構（20）を具備し、
さらに、上記当り部（31ａ）（31ａ）が上記当り面（21）に当接した際に、一対の当り部（31ａ）（31ａ）を挟むように配設されるロック部材（40）（40）を上記当り面（21）に付設し、該ロック部材（40）（40）から対面状に突出自在のロック杆（42）（42）を、上記当り部（31ａ）（31ａ）の外側面に形成したロック孔（43）（43）に挿通して、上記壁面当接支持部材（３）を上記水平展開状態で保持可能なロック機構（４）を備えたことを特徴とする天井作業用梯子。
【請求項２】
上記壁面当接支持部材（３）を、伸縮固定自在とした請求項１記載の天井作業用梯子。
【発明の詳細な説明】
【技術分野】
【０００１】
本発明は、天井作業用梯子に関する。
【背景技術】
【０００２】
従来、天井（高所）を作業する梯子は、左右の支柱に踏残を架設した２つの梯子半体有し、対面状に枢着して、くの字状や直線状に固定可能に枢着したもの（脚立梯子）が知られている。（例えば、特許文献１参照）。また、短い梯子状の脚体部を平行状に重ねてスライド可能に連結して長さ調節を可能としたもの（スライド梯子）が知られている。
【特許文献１】登録実用新案第３０６３９４５号公報
【発明の開示】
【発明が解決しようとする課題】
【０００３】
スライド梯子で、収納している脚体部を引出して（長くして）天井で作業する際や、脚立梯子で２つの梯子半体を直線状に展開して天井で作業する際では、壁面等に立て掛けて使用する必要があった。
【０００４】
しかし、梯子を壁面に立て掛けて使用する場合は、壁面近傍の天井（高所）でしか作業ができず、壁面から離れた位置では作業者の手が届かず、容易に作業ができなかった。そこで、蛍光灯等（電球や案内表示部材）の交換をおこなう際は、運搬が困難ではあるが、くの字状に固定した大型の脚立梯子を使用していた。また、コストや時間がかかるが、仮設部材等（鉄パイプやクランプ等）で足場等を設置していた。
【０００５】
特に、ビルの非常階段の踊り場等（床面積が狭く、作業対象部材が壁際から離れた天井位置に設置された場所）の作業では、従来の梯子では、高さは十分であるものの、作業対象部材（蛍光灯や表示器等）に作業者の手が届かないことがあった。また、大型の脚立梯子では、安定して設置できる十分な開脚幅を確保できなかった。そのため、非能率的ではあるが、狭い床面に時間やコストをかけて足場を仮組して作業をおこなっていた。
【０００６】
解決しようとする課題は、梯子を壁面に立て掛けて使用する際に、壁際しか作業できない点である。
【０００７】
そこで、本発明は、壁際から離れた位置の天井作業が、容易かつ迅速に作業ができる天井作業用梯子の提供を目的とする。
【課題を解決するための手段】
【０００８】
上記目的を達成させるために本発明に係る天井作業用梯子は、直線状の展開梯子状態と、倒立Ｖ字状の脚立状態とに、切換自在に相互に枢着される、第１梯子半体と第２梯子半体とを有する天井作業用梯子において、上記第１梯子半体と第２梯子半体とを２つ折り自在として枢着する連結枢着部を長手方向中間位置に設け、上記直線状の展開梯子状態となった第１梯子半体と第２梯子半体の一端部に折り重なって収納可能として枢着されると共に水平展開状となって鉛直壁面に当接し上記展開梯子状態の第１梯子半体と第２梯子半体とを支持する壁面当接支持部材を有し、該壁面当接支持部材は、一対の角パイプ状支持部材の間に複数の補強部材を横架するハの字梯子形状に形成され、該ハの字の狭小部に配設される補強部材である最端補強部材を、上記端部の近傍に架設される踏桟である最端踏桟に、蝶番型の枢着金具を介して取着され、上記壁面当接支持部材は、折重なって収納された収納状態で、上記一対の角パイプ状支持部材を上記最端補強部材よりも上記端部側に突出する当り部を備え、上記壁面当接支持部材が上記鉛直壁面に当接する水平展開状態で、上記当り部の下面が、上記最端踏桟の水平面状当り面に当接して、上記壁面当接支持部材が上記水平展開状態からさらに上方へ揺動するのを規制する揺動規制機構を具備し、さらに、上記当り部が上記当り面に当接した際に、一対の当り部を挟むように配設されるロック部材を上記当り面に付設し、該ロック部材から対面状に突出自在のロック杆を、上記当り部の外側面に形成したロック孔に挿通して、上記壁面当接支持部材を上記水平展開状態で保持可能なロック機構を備えたものである。
【０００９】
また、上記壁面当接支持部材を、伸縮固定自在としたものである。
【発明の効果】
【００１０】
本発明の高所作業用梯子によれば、壁面当接支持部材を有するので、壁面から離れた位置で高所の作業ができる。また、第１梯子半体と第２梯子半体の内の枢着された側に折重なって収納されているので、壁面当接部材が邪魔にならず（かさばらず）容易に持ち運びできる。
【発明を実施するための最良の形態】
【００１１】
以下、実施の形態を示す図面に基づき本発明を詳説する。
図１は、本発明に係る天井作業用梯子の使用状態を説明する説明図であり、図２〜図５に、本発明の第１の実施の形態を示す。第１の実施の形態は、左右一対の角パイプ状の支柱11，11に、断面コ字状の受け部材12，12を各々沿うように固着した後に、コ字の開口部を対面状となるように支柱11，11を配設して、複数のアルミ製の踏桟10を挟み込むように架設し固着して梯子形状とした第１梯子半体１を有し。また、第１梯子半体１と同様に受け部材12，12が各々固着された左右一対の支柱11，11に踏桟10を架設して梯子形状とした第２梯子半体２を有している。
【００１２】
また、第１梯子半体１の左右の支柱11の端面と第２梯子半体２の左右の支柱11の端面とを対面状にして１つの直線状梯子を形成するように配置し、枢着面が形成された金属製薄板の連結枢着板13，13で、第１梯子半体１の左右の支柱11，11と第２梯子半体２の左右の支柱11，11とを長手方向に枢着して連結枢着部７を設けている。この連結枢着部７の連結枢着板13，13の連結枢着軸心Ｐまわりに第１梯子半体１と第２梯子半体２とを折り曲げることが可能なものである。また、連結枢着軸心Ｐまわりに揺動させることで、直線状の展開梯子状態（図１〜図３参照）と、倒立Ｖ字状の脚立状態（図４参照）と、短梯子状態（図５参照）と、に切換自在に枢着したものである。また、倒立Ｖ字状の脚立状態で、床面Ｃに当接する支柱11，11，11，11の最端部に、樹脂製の滑り止め部材14，14，14，14を付設している（図４参照）。
【００１３】
そして、直線梯子形状となった（展開梯子状態の）第１梯子半体１と第２梯子半体２とを、使用状態で、鉛直壁面Ａに水平展開状となって当接し支持する壁面当接支持部材３を備えている（図１参照）。壁面当接支持部材３は、一対の金属製の断面視コの字状支持部材31，31を、コの字の開口部が対面状となるように配設し、複数の金属製多角形パイプ状の補強部材30の両端をコの字で外嵌するように固着して支持部材31，31を平面視ハの字梯子形状としたものである。また、鉛直壁面Ａと当接する支持部材31，31の最端部には、樹脂製の滑り止め部材14を付設している。
【００１４】
また、壁面当接支持部材３は、連結された第１梯子半体１と第２梯子半体２の一方の端部８に枢着している。つまり、第１梯子半体１の連結枢着部７とは反対側の端部に枢着している。この一方の端部８の要部拡大図を図６に示す。また、図７は、そのＡーＡ断面図であり、図８は、そのＢ−Ｂ断面説明図であり、図９は、壁面当接支持部材３が、水平展開状態となった際のＢ−Ｂ断面説明図である。
【００１５】
壁面当接支持部材３と第１梯子半体１との枢着構造は、金具軸心Ｌまわりに揺動自在な２枚の揺動板50ａ，50ａを枢着した枢着金具（蝶番金具）50の一方の揺動板50ａを、一方の端部８の近傍にある第１梯子半体１の踏桟10である最端踏桟10ａに取着し、他方の揺動板50ａを、壁面当接支持部材３の最端の補強部材30である最端補強部材30ａに取着した構造である。つまり、枢着金具50の金具軸心Ｌが、壁面当接支持部材３と第１梯子半体１との揺動枢着軸心Ｌとなって、揺動枢着軸心Ｌまわりに揺動可能に壁面当接支持部材３を第１梯子半体１に枢着している。
【００１６】
また、上述した、直線状の展開梯子状態（図２参照）や倒立Ｖ字状の脚立状態（図４参照）等で、使用者が昇降する側を正面（昇降面）側とすると、壁面当接支持部材３は、背面（非昇降面）側に折り返し可能に枢着している。上述した短梯子状態（図５参照）では、第１梯子半体１に折重なった後、第２梯子半体２で挟まれてサンドイッチ状となるように収納されている。
【００１７】
また、壁面当接支持部材３は、折重なった収納状態で、支持部材31は、最端補強部材30ａよりも一方の端部８側へ突出する当り部31ａを形成している（図８参照）。当り部31ａは、壁面当接支持部材３を展開方向Ｒ1 （図８に示す矢印Ｒ1 方向）に揺動した際に、壁面当接支持部材３の当り部31ａが、最端踏桟10ａに当接して揺動枢着軸心Ｌまわりに揺動した揺動角度が所定の鈍角θ（９０°〜１３０°）で揺動を抑制するように設定している（図９参照）。つまり、最端踏桟10ａの一方の端部８側の面を当り面21として、支持部材31の当り部31ａを揺動の際に当接させて、使用の際にさらに上方（展開方向Ｒ1 ）へ揺動するのを規制する揺動規制機構20を設けている。
【００１８】
この揺動規制機構20によって、壁面当接支持部材３の収納状態と、壁面当接支持部材３が鉛直壁面Ａに当接して使用される際の水平展開状態との間で、揺動した角度が所定の鈍角θとなる。つまり、壁面当接支持部材３は、この所定の鈍角θ（９０°〜１３０°）の区間で揺動可能としたものである。
【００１９】
また、最端踏桟10ａの端部８側面（当り面21）に、操作杆41の往復操作によってロック杆42が突出収納するロック部材40（南京落とし状金具又は丸落とし状金具）を付設している。ロック部材40は、操作杆41をロック部材40のケーシングに形成した係止溝に係止させることで、ロック杆42が突出状態又は収納状態に保持可能なものである。また、ロック部材40は、当り部31ａが当り面21に当接した際に、左右の当り部31ａ，31ａを挟むように、ロック杆42の突出方向が対面状となるように配設している。また、当り部31ａは、当り面21に当接させた際に、ロック杆42が貫通可能なロック孔43を形成している。
【００２０】
つまり、当り部31ａを当り面21に当接させた際に、ロック部材40を操作して、当り部31ａに形成したロック孔43にロック杆42を貫通させ、ロック杆42を突出状態に保持させることで、壁面当接支持部材３を水平展開状態で保持可能なロック機構４を備えている。
【００２１】
また、第２梯子半体２の連結枢着部７の近傍に、倒立Ｖ字状の脚立状態の開脚幅を固定可能な、折り畳みフック板状の幅止金具46を付設し、第１梯子半体１の連結枢着部７の近傍に、幅止金具46を係止可能な幅止ピン45を付設している。
【００２２】
また、図示省略するが、壁面当接支持部材３の鉛直壁面Ａとの当接側の端部近傍に収納係止孔を形成し、梯子半体１の背面側に、収納係止孔に挿通して係止可能な収納係止部材を付設して、壁面当接支持部材３を収納状態で保持可能な収納保持機構を設けるのが望ましい。
【００２３】
また、第１梯子半体１と第２梯子半体２の他方の端部９（一方の端部８の反対側の端部である第２梯子半体２の端部）側に、床面に取着された吸盤部材Ｆやアンカー部材に、係止可能な位置ズレ防止用のフック部材26を、背面（非昇降面）側に折重なるように収納可能に金属製の蝶番部材27で枢着して付設するのが望ましい（図２参照）。また、折り重なった状態を保持させる（南京落とし金具状の）フック保持部材28を付設するのが望ましい。
【００２４】
次に、第２の実施の形態について詳説する。
上述した第１の実施の形態と同様に形成した第１梯子半体１と第２梯子半体２とを、同様の構成で枢着している。つまり、直線状の展開梯子状態と、倒立Ｖ字状の脚立状態と、短梯子状態と、に切換自在に枢着したものである。展開梯子状態となった（直線状の梯子状態の）第１梯子半体１と第２梯子半体２とを、使用状態で、鉛直壁面Ａに水平展開状となって当接し支持する伸縮固定自在な壁面当接支持部材３を備えている。そして、伸縮固定自在な壁面当接支持部材３を、第１の実施の形態と同様に、一方の端部８に枢着し、枢着された側に折重なって収納可能にすると共に、水平展開状態で、壁面当接支持部材３が上方（展開方向）に揺動するのを規制する第１の実施の形態と同様の揺動規制機構20を設けて、所定の鈍角θをもって揺動可能にしている。
【００２５】
壁面当接支持部材３は、一対の金属製角パイプ状支持部材31，31を、平行状に配設し、複数の金属製多角形パイプ状の補強部材30を架設するように固着して梯子形状としたものである。さらに、支持部材31に内装される金属製角柱状の補助支持部材34を有している。補助支持部材34は、支持部材31に、突出収納自在に内装されている。補助支持部材34は、使用状態（壁面当接支持部材３が水平展開状態）で鉛直方向に形成している複数の貫通した調整孔36を形成している。また、支持部材31は、使用状態（壁面当接支持部材３が水平展開状態）で鉛直方向貫通して形成する位置決め孔37を有している。また、伸縮固定自在な壁面当接支持部材３は、調整孔36と位置決め孔37とを串刺し状に固定する位置決めピン33を、備えている（図10参照）。また、補助支持部材34の鉛直壁面Ａと当接する側の最端部に樹脂製の滑り止め部材14を付設している。
【００２６】
つまり、第２の実施の形態の伸縮固定自在な壁面当接支持部材３は、支持部材31から補助支持部材34を引出して（突出させて）、長さを自由に調整できる伸縮自在なものである。また、壁面当接支持部材３は、位置決め孔37と調整孔36とを同心状にして、位置決めピン33を串刺し状にすることで、所定の長さで固定自在としたものである。
【００２７】
また、角パイプ状の支持部材31に、第１の実施の形態と同様のロック杆42が挿入可能なロック孔43を形成して、水平展開状態を保持可能なロック機構４を設けている。また、第１の実施の形態と同様に、幅止金具46と、幅止ピン45と、壁面当接支持部材３の収納状態を保持する収納保持部材と、位置ズレ防止用のフック部材26と、フック保持部材28を付設するのが望ましい。
【００２８】
なお、本発明は、設計変更可能であって、例えば、壁面当接支持部材３は、第２梯子半体２の端部（一方の端部８の反対側の他方の端部９）に枢着しても良い。つまり、第１梯子半体と第２梯子半体２とのどちらか一方の端部に枢着するものである。
【００２９】
また、ロック機構４は、上述した以外にも、ロック杆42を弾発部材にて常時突出するように弾発付勢されるロック杆42を用いて、当り部31ａが当り面21に当接する際にロック杆42が当り部31ａに沿ってロック孔43に挿入し、壁面当接支持部材３を保持する（ノッチ式）自動ロック機構４としても良い。
【００３０】
また、壁面当接支持部材３は、第２の実施の形態で述べた以外に、伸縮固定自在な構想であれば良い。図11に、壁面当接支持部材３の他の一例を示す。例えば、補助支持部材34にラチェット溝38を形成し、支持部材31に、弾性部材によって常時弾発付勢されて、ラチェット溝にくい込むように係止される揺動可能なラチェット係止部材39を付設して、ラチェット機構を用いて、伸縮固定自在としても良い。また、図12に、壁面当接支持部材３の別の一例を示す。角パイプ状の補助支持部材34に調整孔36を形成し、支持部材31に位置決め孔37を形成して、さらに、弾発部材にて常時弾発付勢される位置決めピン33を付設して、位置決め孔37と調整孔36とに位置決めピン33を挿入して固定可能とした伸縮固定自在な壁面当接支持部材３としても良い。
【００３１】
上述した本発明の天井作業用梯子の使用方法（作用）について説明する。
ビル内の非常階段の踊り場にある鉛直壁面Ａから離れた位置に蛍光灯ｂが天井Ｂ（高所）に設置され、さらに足場となる床面Ｃが狭い場所（図１参照）で、蛍光灯を交換する作業では、まず、第１・２梯子半体１，２を直線状の展開梯子状態とし、壁面当接支持部材３を展開させる。この際、壁面当接支持部材３の当り部31ａが、最端踏桟10ａの当り面21に当接し、所定の鈍角θ（例えば、１０５°）で揺動規制される（図９参照）。
【００３２】
また、当り部31ａに形成したロック孔43が、最端踏桟10ａの当り面21に付設したロック部材40のロック杆42と同心状となる。そして、ロック杆42を突出させた状態で保持するように、操作杆41を操作する。すると、ロック孔43にロック杆42がスムーズに貫通されて、壁面当接支持部材３は、所定の鈍角（展開角度）θで固定される。
【００３３】
第１・２梯子半体１，２が展開梯子状態、かつ壁面当接支持部材３が展開状態となった状態で、階段の踊り場の鉛直壁面Ａに壁面当接支持部材３が当接するように立て掛ける。壁面当接支持部材３は、水平状となって鉛直壁面Ａに当接し、展開梯子状態の第１・第２梯子半体１，２を支持する。つまり、展開梯子状態の第１・第２梯子半体１，２は、略壁面当接支持部材３の長さ分だけ、鉛直壁面Ａから離れて立て掛けた状態となる。つまり、図１の一点鎖線で示す従来の梯子での作業位置Ｄよりも、天井Ｂの鉛直壁面Ａから離れた位置が作業可能な状態となる。
【００３４】
さらに、壁面当接支持部材３と展開梯子状態の第１・第２梯子半体１，２とは、所定の鈍角θ（例えば１０５°）で展開し、かつ、壁面当接支持部材３は水平状となっているので、展開梯子状態の第１・第２梯子半体１，２は、床面Ｃに対して、昇降及び作業に最適な所定の傾斜角度α（例えば、７５°）で傾倒して支持される（図１参照）。
【００３５】
また、フック部材26を付設した際は、第１・第２梯子半体１，２の他方の端部９のフック部材26を展開して、床面Ｃに取着された吸盤部材Ｆに係止させる。
【００３６】
よって、本発明に係る天井作業用梯子は、天井Ｂの鉛直壁面Ａから離れた位置、蛍光灯ｂが容易に交換可能状態となる。作業者は、展開梯子状態の第１・第２梯子半体１，２を昇降して、蛍光灯ｂを交換する。  
【００３７】
また、鉛直壁面Ａから離れた天井Ｂ以外の作業をする際は、壁面当接支持部材３のロック部材40を操作して、ロックを解除し、壁面当接支持部材３を揺動させる。すると、昇降面とは反対側に収納され、鉛直壁面Ａ近傍の作業が可能な直線状の長梯子形状となる。つまり、壁際の作業が可能状態となる。そして、連結枢着軸心Ｐまわりに第１・第２梯子半体１，２を揺動し、幅止金具46を幅止ピン45に係止させると、脚立として使用可能な倒立Ｖ字状の脚立状態となる（図４参照）。さらに、幅止金具46をはずし、連結枢着軸心Ｐまわりに第１・第２梯子半体１，２を揺動が揺動すると、持ち運び及び片づけが容易な形状である直線状の短梯子形状となる（図５参照）。
【００３８】
また、上述した第２の実施の形態のように、壁面当接支持部材３を伸縮固定自在とした際は、作業者が作業に容易な姿勢で作業可能な位置となるように、補助支持部材34を突出乃至収納させて、伸縮調整孔36を位置決め孔37に同心状に合わせ、位置決めピン33を串刺し状に挿通させる。つまり、鉛直壁面Ａから離れた位置の天井Ｂにある作業対象物（例えば、蛍光灯ｂや案内表示物）に合わせて、壁面当接支持部材３を希望の長さに調整する。
【００３９】
以上のように、本発明は、直線状の展開梯子状態と、倒立Ｖ字状の脚立状態とに、切換自在に相互に枢着される、第１梯子半体１と第２梯子半体２とを有する天井作業用梯子において、鉛直壁面Ａに水平展開状態で当接して、展開梯子状態の第１梯子半体１と第２梯子半体２とを支持する壁面当接支持部材３を有し、壁面当接支持部材３は、第１梯子半体１と第２梯子半体２とのどちらか一方の端部８に枢着され、第１梯子半体１と第２梯子半体２の内の上記枢着された側に折重なって収納されているので、鉛直壁面Ａから離れた場所の天井（高所）にある作業対象部材（蛍光灯ｂや案内表示器等）に対して容易かつ迅速に作業ができる。また、仮設の足場等を組む必要がなく容易かつ安価に作業ができる。大型の脚立が開脚困難な場所（床面Ｃが狭い場所）であっても、容易に設置できる。また、直線状の展開梯子状態と、倒立Ｖ字状の脚立状態と、直線状の短梯子状態と、に切換自在であるので、様々な作業に使用できる。また、壁面当接支持部材３を昇降面とは逆の面（背面）に折り重なって収納されるので、壁面当接支持部材３を使用していない状態（収納状態）で、昇降の邪魔にならないようにできる。また、コンパクトに折り畳めて容易に持ち運びできる。
【００４０】
また、水平展開状態で壁面当接支持部材３が、さらに上方へ揺動するのを規制する揺動規制機構20を設けて、壁面当接支持部材３が、折重なって収納された収納状態と、水平展開状態との間で、所定の鈍角θをもって揺動可能に構成したので、不用意に、壁面当接支持部材３が上方（展開方向）へ揺動しないので、より安全に作業ができる。また、作業に最適な設置状態である所定の鈍角θで水平展開状態に容易かつ迅速にできる。また、直線状の展開梯子状態を最適な所定の傾射角度αに容易かつ迅速にできる。第１・２梯子半体１，２の展開梯子状態を所定の傾斜（傾倒）角度αを保持して鉛直壁面Ａに立て掛けることができ、安全に作業ができる。
【００４１】
また、壁面当接支持部材３を、伸縮固定自在としたので、鉛直壁面Ａから離れた天井等にある高所の作業対象部材の位置に合わせて（調節して）容易に作業ができる。また、作業者が無理な姿勢（背伸びや前倒、海老反り姿勢等の状態）で作業する必要がなく安全かつ容易に作業ができる。また、壁面当接支持部材３をよりコンパクトに収納できる。また、持ち運びが容易にできる。
【図面の簡単な説明】
【００４２】
【図１】本発明に係る天井作業用梯子の使用状態を説明する説明図である。
【図２】第１の実施の形態が展開梯子状態の側面図である。
【図３】第１の実施の形態が展開梯子状態の背面図である。
【図４】第１の実施の形態が脚立状態の側面図である。
【図５】第１の実施の形態が短梯子状態の側面図である。
【図６】要部拡大図である。
【図７】図６のＡ−Ａ断面図である。
【図８】壁面当接支持部材が収納状態の図７のＢ−Ｂ断面説明図である。
【図９】壁面当接支持部材が水平展開状態の要部拡大断面説明図である。
【図１０】第２の実施の形態の壁面当接支持部材３の要部拡大断面図である。
【図１１】壁面当接支持部材３の他の一例を示す要部拡大断面図である。
【図１２】壁面当接支持部材３の別の一例を示す要部拡大断面図である。
【符号の説明】
【００４３】
１  第１梯子半体
２  第２梯子半体
３  壁面当接支持部材
４  ロック機構
７  連結枢着部
８  一方の端部
10  踏桟
10ａ  最端踏桟
20  揺動規制機構
21  当り面
30  補強部材
30ａ  最端補強部材
31  支持部材
31ａ  当り部
40  ロック部材
42  ロック杆
43  ロック孔
50  枢着金具
Ａ  壁面
θ  所定の鈍角
【図１】
0004722891.tif 000002
【図２】
0004722891.tif 000003
【図３】
0004722891.tif 000004
【図４】
0004722891.tif 000005
【図５】
0004722891.tif 000006
【図６】
0004722891.tif 000007
【図７】
0004722891.tif 000008
【図８】
0004722891.tif 000009
【図９】
0004722891.tif 000010
【図１０】
0004722891.tif 000011
【図１１】
0004722891.tif 000012
【図１２】
0004722891.tif 000013